(57)【要約】  【課題】  蓋体の内側に設けられているホルダ内にディスクカートリッジを挿入し、エジェクトレバーを押込みながらディスクカートリッジをディスクプレーヤ内に装着するようにしたディスクプレーヤにおいて、とくにディスクカートリッジを上方に押上げながらホルダ内に挿入した場合や、ディスクカートリッジを下方に押下げながらホルダ内に挿入した場合に、エジェクトレバーのロック部が変形し、あるいはまた落下した場合に衝撃によって変形してディスクカートリッジがエジェクトできなくなる不具合を解消する。  【解決手段】  ホルダ１８の外側部に摺動可能に取付けられているエジェクトレバー３５をロックする取付け板２４側のロック部４０を曲げ加工ではなく絞り加工によって形成し、その根元側にラチェット部を構成する両端が閉じた係合孔４５を形成するとともに、その上側に傾斜面５２を形成し、エジェクトレバー３５を呼込むようにする。【選択図】  図１２
2006024337.tif 000002
【特許請求の範囲】
【請求項１】
ディスクカートリッジを蓋体の内側に設けられているホルダ内に、エジェクトレバーを押込みながら挿入し、前記蓋体を閉じて所定の装着位置に前記ディスクカートリッジを装着するようにしたディスクプレーヤにおいて、
ばねによって前記ディスクカートリッジをエジェクト方向に付勢する前記エジェクトレバーを押込み位置でロックするロック部をプレーヤ本体側の取付け板に形成された突部であって絞り加工された突部から構成することを特徴とするディスクプレーヤ。
【請求項２】
前記突部の前記ディスクカートリッジの押込み方向側の側端がロック部をなし、該ロック部に前記エジェクトレバーの折曲げ片がロックされることを特徴とする請求項１に記載のディスクプレーヤ。
【請求項３】
前記突部の根元側に係合孔が形成され、該係合孔に前記エジェクトレバーの爪が引掛かることを特徴とする請求項１に記載のディスクプレーヤ。
【請求項４】
前記エジェクトレバーの上縁に切込みが形成され、該切込みに前記ホルダのロック片が係合して前記エジェクトレバーが押込まれたときにロックされることを特徴とする請求項３に記載のディスクプレーヤ。
【請求項５】
前記蓋体を開くと前記ホルダのロック片が前記エジェクトレバーの切込みから離脱して前記ロック片によるロックが解除されることを特徴とする請求項４に記載のディスクプレーヤ。
【請求項６】
前記蓋体の前縁の被ロック部と係合するロック爪を有する摺動板が前記取付け板上に摺動可能に取付けられるとともに、該取付け板に補強片が一体に連設され、該補強片が前記摺動板のロック爪の内側に位置することを特徴とする請求項１に記載のディスクプレーヤ。
【発明の詳細な説明】
【技術分野】
【０００１】
本発明はディスクプレーヤに係り、とくにディスクカートリッジを蓋体の内側に設けられているホルダ内に挿入し、蓋体を閉じて所定の位置にディスクカートリッジを装着するようにしたディスクプレーヤに関する。
【背景技術】
【０００２】
光ディスクを偏平なケーシング内に収納したディスクカートリッジを記録媒体とするディスクプレーヤが広く用いられている。例えばミニディスク（商品名）をプラスチック製の偏平なケーシング内に収納したディスクカートリッジをディスクプレーヤに装着し、ケーシング内において光ディスクを回転させながら光ピックアップと対接させて再生を行なうようにしたポータブルタイプのディスクプレーヤが広く用いられている。
【０００３】
このようなディスクプレーヤはエジェクトレバーを備え、蓋体を開くと上記エジェクトレバーによってディスクカートリッジが取出されるようにしている。例えば特開平７−８５５６０号公報には、上蓋が開いた状態でカートリッジホルダにディスクカートリッジを挿入すると、このディスクカートリッジと係合されるエジェクトレバーが引張りコイルばねの力に抗してディスクカートリッジと一体的に移動し、ディスクカートリッジが奥まで挿入されるとロック部材がエジェクトレバーのロックピンと係合してエジェクトレバーがロックされ、そして上蓋を一度閉じてから再び開くと、この上蓋に追従したカートリッジホルダの上方への回動に伴ってロック解除機構によってロック部材がロックピンから外れるようにし、ディスクプレーヤの上蓋が開いたときにディスクカートリッジが飛出すようにエジェクト可能の状態にして取出し易くしたカートリッジのエジェクト機構が開示されている。
【０００４】
なお上記公報以外にも、例えば特開平７−７３５６２号公報や、特開昭５９−１２９９６７号公報によっても、カートリッジをプレーヤの内部に挿入して所定の位置に装着し、所定の再生動作を行なうようにしたポータブルタイプのディスクプレーヤが開示されている。
【０００５】
従来のディスクプレーヤのエジェクト機構は、例えば図１６に示すように構成され、例えばミニディスク（商品名）を収納したディスクカートリッジ１をホルダ２内に挿入すると、エジェクトレバー３がばね４に抗してホルダ２上を右方に押込まれるようになっている。そして所定の押込み位置において、エジェクトレバー３の切込み５がロック片６と係合され、このような状態で蓋を閉じるとホルダ２が水平な状態に回動し、取付け板７のロック部８によってロックされるようにしている。そしてこのロック部８に設けられているラチェット部９によって、蓋体の開放に伴ってエジェクトレバー３のロック片６によるロックを解除するようにしている。
【０００６】
このような従来のディスクプレーヤにおけるエジェクト機構は、図１６に示すようにディスクカートリッジ１を上方に押上げながらホルダ２内に挿入した場合に、エジェクトレバー３が図１７Ａに示すようにロック部８を乗越え、あるいは図１７Ｂに示すようにエジェクトレバー３がロック部８の外側部を通過したり、あるいは図１７Ｃに示すようにエジェクトレバー３の先端部がロック部８の左端に当接し、エジェクトレバー３あるいはロック部８の先端側が変形し、ディスクカートリッジ１がエジェクトできなくなる不具合を生ずる可能性がある。
【０００７】
またディスクカートリッジ１を図１８に示すように下方向に向けながらホルダ２内に挿入した場合には、図１９に示すように折曲げ片１０がロック部８の上縁に当接し、エジェクトレバー３の第２ロック部を構成する折曲げ片１０が変形する可能性がある。
【０００８】
また従来のこの種の構造は、ロック部８が下端に切込みから成るラチェット部９を有する片持ち構造の突片から構成されているために、このディスクプレーヤを落下させた場合にはその衝撃によってロック部８が変形する可能性があり、このような変形をロック部８に生ずると、ディスクカートリッジ１が内部に装着されたままでエジェクトできなくなってしまう。
【特許文献１】特開平７−８５５６０号公報
【特許文献２】特開平７−７３５６２号公報
【特許文献３】特開昭５９−１２９９６７号公報
【発明の開示】
【発明が解決しようとする課題】
【０００９】
本願発明の課題は、ディスクカートリッジを上方向に押しながら挿入した場合において、エジェクトレバーがロック部を乗越えることがないようにしたディスクプレーヤを提供することである。
【００１０】
本願発明の別の課題は、ディスクカートリッジを上方向に押しながら挿入した場合に、エジェクトレバーがロック部に当接して変形を生ずることがないようにしたディスクプレーヤを提供することである。
【００１１】
本願発明のさらに別の課題は、ディスクカートリッジを下方向に下げながら挿入した場合に、エジェクトレバーの折曲げ片が変形することがないようにしたディスクプレーヤを提供することである。
【００１２】
本願発明のさらに別の課題は、ロック部が十分な強度を有し、これによってディスクカートリッジを挿入したままの状態で落下させて衝撃が加わっても、ロック部が簡単には変形しないようにしたディスクプレーヤを提供することである。
【００１３】
本願発明の上記の課題および別の課題は、以下に述べる本願発明の技術的思想および発明の実施の形態によって明らかにされよう。
【課題を解決するための手段】
【００１４】
本願の主要な発明は、ディスクカートリッジを蓋体の内側に設けられているホルダ内に、エジェクトレバーを押込みながら挿入し、前記蓋体を閉じて所定の装着位置に前記ディスクカートリッジを装着するようにしたディスクプレーヤにおいて、
ばねによって前記ディスクカートリッジをエジェクト方向に付勢する前記エジェクトレバーを押込み位置でロックするロック部をプレーヤ本体側の取付け板に形成された突部であって絞り加工された突部から構成することを特徴とするディスクプレーヤに関するものである。
【００１５】
ここで前記突部の前記ディスクカートリッジの押込み方向側の側端がロック部をなし、該ロック部に前記エジェクトレバーの折曲げ片がロックされてよい。また前記突部の根元側に係合孔が形成され、該係合孔に前記エジェクトレバーの爪が引掛かるようにしてよい。また前記エジェクトレバーの上縁に切込みが形成され、該切込みに前記ホルダのロック片が係合して前記エジェクトレバーが押込まれたときにロックされてよい。また前記蓋体を開くと前記ホルダのロック片が前記エジェクトレバーの切込みから離脱して前記ロック片によるロックが解除されてよい。また前記蓋体の前縁の被ロック部と係合するロック爪を有する摺動板が前記取付け板上に摺動可能に取付けられるとともに、該取付け板に補強片が一体に連設され、該補強片が前記摺動板のロック爪の内側に位置するようにしてよい。
【００１６】
本願に含まれる発明の好ましい態様は、ディスクカートリッジを挿入した際に押込まれるエジェクトレバーのロック部の構造を工夫し、とくにこのロック部を絞り加工して形成するとともに、片持ち構造ではなく両端が閉じられた係合孔を形成してラチェット部とするようにしたものである。
【００１７】
このような構成によれば、ラチェット部を構成する係合孔の強度改善の構造によって、とくに落下の際における係合孔の部分の変形や曲がりでディスクカートリッジがエジェクトできない問題を防止することが可能になる。またディスクカートリッジを正しい姿勢に対してずれた状態で挿入した場合であって、上方向に持上げながらディスクカートリッジを入れた場合に、エジェクトレバーがロック部の係合孔を乗越えることがなく、あるいはまたディスクカートリッジを下方に下げながら挿入した場合にも、エジェクトレバーの変形を防止することが可能になる。
【発明の効果】
【００１８】
本願の主要な発明は、ディスクカートリッジを蓋体の内側に設けられているホルダ内に、エジェクトレバーを押込みながら挿入し、蓋体を閉じて所定の装着位置にディスクカートリッジを装着するようにしたディスクプレーヤにおいて、ばねによってディスクカートリッジをエジェクト方向に付勢するエジェクトレバーを押込み位置でロックするロック部をプレーヤ本体側の取付け板に形成された突部であって絞り加工された突部から構成するようにしたものである。
【００１９】
従ってこのような構成に係るディスクプレーヤによれば、ディスクカートリッジをホルダ内に挿入し、エジェクトレバーを押込むと、このエジェクトレバーが本体側の取付け板に形成されている突部から成るロック部によってロックされるようになり、しかもこのロック部が絞り加工された突部から構成されているために、所定の方向と異なる方向から力が加わった場合や、衝撃が加わっても簡単に変形することがなく、これによってディスクカートリッジの排出動作、すなわちエジェクト動作に不具合が発生することが回避される。
【発明を実施するための最良の形態】
【００２０】
図１および図２は本実施の形態のディスクプレーヤの全体の外観を示しており、偏平なトレー状をなすキャビネット１５上にはその背面側に回動可能に蓋体１６が取付けられている。なお蓋体１６のキャビネット１５に対する回動角度はリンク１７によって規制され、最大回動位置が小さな値になっている。そして蓋体１６の内側にホルダ１８が取付けられており、このホルダ１８内にディスクカートリッジ２０を挿入するようにしている。ディスクカートリッジ２０は偏平な合成樹脂製の筐体から成り、その内部に光ディスク２１を回転可能に収納したものである。
【００２１】
筐体１５の内部には図３に示すようにスピンドルモータ２２が配されるとともに、このスピンドルモータ２２を２次電池２３によって回転駆動するようにしている。そしてスピンドルモータ２２によってディスクカートリッジ２０の筐体内で光ディスク２１が回転駆動されると、内部に設けられている光ピックアップが光ディスク２１の半径方向に移動するようになっている。
【００２２】
次にこのようなディスクプレーヤのとくに蓋体１６のロック機構について説明すると、キャビネット１５の前縁側の内側には図４に示す取付け板２４が取付けられており、この取付け板２４の前面側に摺動板２５が摺動自在に取付けられる。摺動板２５は横方向に一対の長孔２６を備え、これらの長孔２６がピン２７によって取付け板２４に摺動可能に支持される。そして圧縮コイルばね２８によって摺動板２５は左方に摺動付勢されるようになっている。そして取付け板２４の上縁に突出するように補強片２９が連設され、この補強片２９が摺動板２５の上端に突出するロック爪３０の背面側に位置するようになっており、これによってロック爪３０の背面側への変形を阻止するようにしている。なおロック爪３０は図１に示す蓋体１６の前縁の内側に設けられている被ロック部３１と係合し、これによって蓋体１６を閉じた状態でロックするようにしている。
【００２３】
図２Ａに示すようにホルダ１８に対してディスクカートリッジ２０を通常の姿勢で挿入する場合には、このディスクカートリッジ２０の先端側がロック爪３０に当接することはない。これに対してディスクカートリッジ２０を誤ってやや下側の位置で挿入すると、ディスクカートリッジ２０の先端側がロック爪３０に当接し、場合によってはロック爪３０に対して背面方向に変形させる応力を加える。ところがロック爪３０の背面側に位置する補強片２９がロック爪３０が背面側に変形するのを阻止するように機能するために、ロック爪３０が内側へ変形して被ロック部３１と係合しないロック不能な状態になることが防止される。またロック爪３０を備える摺動板２５の背面側に補強片２９が位置するために、摺動板２５の摺動のガタを規制して摺動ロスを低減することが可能になる。
【００２４】
次に蓋体１６の内側に取付けられているホルダ１８の側面に図５に示すように摺動可能に取付けられているエジェクトレバー３５のロック機構について説明する。ホルダ１８は図１に示すように偏平なコ字状の断面形状をなし、しかも図６に示すようにその側端部にロック片３８を備えている。これに対して上記ホルダ１８の側面に摺動可能に取付けられるエジェクトレバー３５は図５に示すようにばね３６によってエジェクト方向、すなわち左方に摺動付勢される。また上記ロック片３８が入込む切込み３７がエジェクトレバー３５の上縁に図７に示すように形成されている。
【００２５】
上記エジェクトレバー３５の折曲げ片４２をロックするためのロック部４０が図５に示す取付け板２４の所定の位置に形成されている。このロック部４０は後述するように絞り加工によって形成されるとともに、その押込み方向先端側の側端４１がエジェクトレバー３５の折曲げ片４２と係合されるようになっている。またロック部４０にはラチェット部を構成する係合孔４５が横方向に延びるように形成されており、この係合孔４５が上記エジェクトレバー３５の爪４６を受入れて係止するようになっている。なおエジェクトレバー３５は図７に示す長孔４８に嵌合されるホルダ１８側のピン４９によってホルダ１８上を摺動可能に支持されるとともに、このエジェクトレバー３５の先端側の当接部５０がディスクカートリッジ２０の先端部によって押されて摺動するようになっている。
【００２６】
このようなエジェクトレバー３５のロック機構において、その主要部を構成するロック部４０を図９に示すように、従来の片持ち構造のロック部８に代えて、絞り成形によって取付け板２４に一体に形成されたロック部４０としている。すなわち従来の曲げ構造のロック部８に代えて、絞り構造のロック部４０としている。ここでロック部４０は図９Ｂに示すように、その側端がエジェクトレバー３５の折曲げ片４２と係合されるロック部になり、しかも上記エジェクトレバー３５の下方に延びるアームの先端側の爪４６を係合させるラチェット部を構成する係合孔４５を備えている。係合孔４５は両端が閉じられており、このためにロック部４０が片持ち構造ではなくなる。そして外側面上には傾斜面５２が形成され、この傾斜面５２によってエジェクトレバー３５の姿勢の変化に対応できるようにしている。
【００２７】
すなわち従来の構造によれば、図９Ａに示すようにロック部８には傾斜面が形成されていないために、ディスクカートリッジ２０を上方向に押上げながら挿入した場合や下方向に下げながら挿入した場合に、上述のような不具合を生じていたが、このような不具合をロック部４０に形成された傾斜面５２によって解消することによって、上述の正しくない姿勢でのディスクカートリッジ２０の挿入にも対応できるようにしている。なお図１０Ａ、Ｂはこのような取付け板２４に形成されたロック部４０を拡大して示したものである。
【００２８】
ロック部４０の傾斜面５２の動作をより詳細に説明すると、傾斜面５２はとくに図１１Ａ、Ｂ、およびＣに示す構造を有しており、例えば蓋体１６を上方に持上げながらディスクカートリッジ２０を挿入した場合には、エジェクトレバー３５の爪４６が傾斜面５２に案内されてこの傾斜面５２の外側部を滑りながらラチェット部である係合孔４５に係合される。
【００２９】
すなわち蓋体１６を上方に持上げてディスクカートリッジ２０を挿入した場合には、エジェクトレバー３５と取付け板２４のロック部４０との位置関係が図１２Ａ、Ｂに示すような位置関係になる。ところがこの場合にも蓋体１６を閉じてエジェクトレバー３５が下降すると、このエジェクトレバー３５の爪４６が傾斜面５２によってロック部４０の外側部に沿って下方に案内され、これによって係合孔４５の下縁に正しく爪４６が係合される。また蓋体１６を下方に下げてディスクカートリッジ２０を挿入した場合には図１２Ｃに示すように、エジェクトレバー３５に形成されている突片５３がロック部４０の傾斜面５２に当接し、これによってエジェクトレバー３５が左方に押され、このためにロック部４０の係合孔４５に爪４６が係合される。従ってディスクカートリッジ２０の挿入姿勢や蓋体１６の回動角度に関係なく正しくエジェクトレバー３５のロック動作が行なわれる。
【００３０】
次に上記エジェクトレバー３５のロック動作を図１３〜図１５によって順次説明する。ホルダ１８内にディスクカートリッジ２０が挿入されていない状態においては図１３Ａに示すように、取付け板２４のロック部４０に対してエジェクトレバー３５は左側に位置している。そしてこのような状態でホルダ１６内にディスクカートリッジ１０を挿入すると、このディスクカートリッジ２０の先端部が当接部５０を押すために、エジェクトレバー３５はばね３６に抗して右方に移動する。図１３Ｂはディスクカートリッジ２０に押されて、途中までエジェクトレバー３５が移動した状態を示している。
【００３１】
ディスクカートリッジ２０のホルダ１８内への挿入に伴って、エジェクトレバー３５が右方に移動し、やがてこのエジェクトレバー３５の上縁に形成されている切込み３７にロック片３８が図１４Ｃに示すように落込み、これによってエジェクトレバー３５のエジェクト方向のロックが行なわれる。
【００３２】
この後ホルダ１８を下面に保持する蓋体１６を閉じると、蓋体１６が閉じる方向に回動するためにホルダ１８も同方向に回動する。するとエジェクトレバー３５の折曲げ片４２が図１４Ｄに示すように、ロック部４０の右端側の斜面を滑るように下降する。蓋体１６が完全に閉じられると、図１５Ｅに示すようにエジェクトレバー３５の折曲げ片４２がロック部４０の側端４１に係合される。そしてこのときには上記切込み３７と係合するロック片３８に若干の遊びを生ずる。すなわちロック片３８は挿入動作のときにのみロックが行なわれ、折曲げ片４２がロック部４０の側端４１に係合されると、その役割を終了する。
【００３３】
上記蓋体１６の閉鎖に伴ってエジェクトレバー３５の折曲げ片４２がロック部４０の側端４１にロックされるのにほぼ同期して、図１５Ｅに示すように、エジェクトレバー３５の爪４６がロック部４０のラチェット部を形成する係合孔４５に係合される。
【００３４】
次にこのようなロック部４０によるエジェクトレバー３５のロックが行なわれた状態で、蓋体１６のロック爪３０によるロックを解除すると、蓋体１６が内蔵する弦巻ばねによって開く方向に回動する。従って蓋体１６内に取付けられているホルダ１８も同方向に回動する。するとエジェクトレバー３５の側端４１に係合していた折曲げ片４２がこの側端４１から図１５Ｆに示すように離脱する。ところがエジェクトレバー３５は爪４６が係合孔４５によって係止されているために、エジェクトレバー３５の上方への移動が防止される。従ってこのことから、エジェクトレバー３５がホルダ１８に対して下方に引張られ、これによってエジェクトレバー３５の切込み３７から相対的にロック片３８が離脱する。図１５Ｇは切込み３７からロック片３８がほぼ離脱した状態を示している。
【００３５】
このようにロック片３８が切込み３７から離脱すると、エジェクトレバー３５は押込み方向のロックが解除されるために、ばね３６によって挿入方向とは逆方向、すなわち左方に摺動付勢され、図１３Ａに示す位置へ復帰する。従ってホルダ１８から先端部が飛出しているディスクカートリッジ２０を指で掴んで取出すことができるようになり、これによってディスクカートリッジ２０のエジェクト動作が達成される。
【００３６】
以上本願発明を図示の実施の形態によって説明したが、本願発明は上記実施の形態によって限定されることなく、本願に含まれる発明の技術的思想の範囲内で各種の変更が可能である。例えば上記実施の形態は、ミニディスク（商品名）と称される比較的小さな光ディスクを用いたディスクプレーヤに関するものであるが、本願発明はその他各種のディスク状録媒体を用いるディスクプレーヤに広く適用可能である。またエジェクトレバー３５をロックするロック部４０の具体的な構造については、上記実施の形態の形状や寸法に限定されることなく、各種の設計変更が可能である。
【産業上の利用可能性】
【００３７】
本願発明は、光ディスク等のディスク状記録媒体をケーシングに挿入したディスクカートリッジを用いるディスクプレーヤに広く利用可能である。
【図面の簡単な説明】
【００３８】
【図１】ディスクプレーヤに対するディスクカートリッジの挿入動作を示す外観斜視図である。
【図２】同要部側面図である。
【図３】蓋体をロックする摺動板の取付け構造を示す縦断面図である。
【図４】同摺動板の取付け構造を示す要部分解斜視図である。
【図５】エジェクトレバーによるエジェクト機構を示すホルダの側面図である。
【図６】ホルダの側面図である。
【図７】エジェクトレバーの正面図である。
【図８】エジェクトレバーを組込んだホルダの側面図である。
【図９】エジェクトレバーをロックする取付け板のロック部の改良を示す平面図および正面図である。
【図１０】同ロック部の拡大平面図および拡大正面図である。
【図１１】ロック部のとくに傾斜面の構成を示す側断面図、平面図、および正面図である。
【図１２】各種の姿勢で蓋体を閉じたときのロック部の傾斜面の作用を示す要部縦断面図である。
【図１３】エジェクトレバーのロック動作を順を追って説明する正面図である。
【図１４】エジェクトレバーのロック動作を順を追って説明する正面図である。
【図１５】エジェクトレバーのロック動作を順を追って説明する正面図である。
【図１６】従来のエジェクトレバーのロック機構を示す正面図である。
【図１７】ディスクカートリッジを上方に押上げながら蓋体を閉じたときのエジェクトレバーのロック部の関係を示す正面図である。
【図１８】ディスクカートリッジを下方に押下げながら蓋体を閉じた状態を示す側面図である。
【図１９】同エジェクトレバーのロック部の拡大正面図である。
【符号の説明】
【００３９】
１‥‥ディスクカートリッジ、２‥‥ホルダ、３‥‥エジェクトレバー、４‥‥ばね、５‥‥切込み、６‥‥ロック片、７‥‥取付け板、８‥‥ロック部、９‥‥ラチェット部、１０‥‥折曲げ片、１５‥‥キャビネット、１６‥‥蓋体、１７‥‥リンク、１８‥‥ホルダ、２０‥‥ディスクカートリッジ、２１‥‥光ディスク、２２‥‥スピンドルモータ、２３‥‥２次電池（リチウムイオン電池）、２４‥‥取付け板、２５‥‥摺動板、２６‥‥長孔、２７‥‥ピン、２８‥‥圧縮コイルばね、２９‥‥補強片、３０‥‥ロック爪、３１‥‥被ロック部、３５‥‥エジェクトレバー、３６‥‥ばね、３７‥‥切込み、３８‥‥ロック片、４０‥‥ロック部、４１‥‥側端、４２‥‥折曲げ片、４５‥‥係合孔（ラチェット部）、４６‥‥爪、４８‥‥長孔、４９‥‥ピン、５０‥‥当接部、５２‥‥傾斜面、５３‥‥突片
【図１】
2006024337.tif 000003
【図２】
2006024337.tif 000004
【図３】
2006024337.tif 000005
【図４】
2006024337.tif 000006
【図５】
2006024337.tif 000007
【図６】
2006024337.tif 000008
【図７】
2006024337.tif 000009
【図８】
2006024337.tif 000010
【図９】
2006024337.tif 000011
【図１０】
2006024337.tif 000012
【図１１】
2006024337.tif 000013
【図１２】
2006024337.tif 000014
【図１３】
2006024337.tif 000015
【図１４】
2006024337.tif 000016
【図１５】
2006024337.tif 000017
【図１６】
2006024337.tif 000018
【図１７】
2006024337.tif 000019
【図１８】
2006024337.tif 000020
【図１９】
2006024337.tif 000021
【手続補正書】
【提出日】平成16年7月16日(2004.7.16)
【手続補正１】
【補正対象書類名】図面
【補正対象項目名】全図
【補正方法】変更
【補正の内容】
【図１】
2006024337.tif 000022
【図２】
2006024337.tif 000023
【図３】
2006024337.tif 000024
【図４】
2006024337.tif 000025
【図５】
2006024337.tif 000026
【図６】
2006024337.tif 000027
【図７】
2006024337.tif 000028
【図８】
2006024337.tif 000029
【図９】
2006024337.tif 000030
【図１０】
2006024337.tif 000031
【図１１】
2006024337.tif 000032
【図１２】
2006024337.tif 000033
【図１３】
2006024337.tif 000034
【図１４】
2006024337.tif 000035
【図１５】
2006024337.tif 000036
【図１６】
2006024337.tif 000037
【図１７】
2006024337.tif 000038
【図１８】
2006024337.tif 000039
【図１９】
2006024337.tif 000040